(57)【特許請求の範囲】
【請求項１】
使用者の腕に装着可能な腕時計型情報端末であって、
入力操作を受け付ける入力手段と、
所定の情報を表示する表示手段と、
前記使用者による前記腕時計型情報端末の使用状態を検出する使用状態検出手段と、
前記使用者が歩行していることを検出する歩行検出手段と、
前記使用状態検出手段により検出された前記使用者の使用状態に応じて、前記表示手段への情報の表示を制限するとともに前記入力手段への入力操作を禁止する第１のモード、前記表示手段への情報の表示を許可するとともに前記入力手段への入力操作を禁止する第２のモード、および前記表示手段への情報の表示および前記入力手段への入力操作を許可する第３のモードのいずれかを設定するモード設定手段と、を備え、
前記モード設定手段は、前記使用状態検出手段が使用状態であることを検出し、さらに前記歩行検出手段が前記使用者が歩行していることを検出した場合には、前記第２のモードを設定する、腕時計型情報端末。
【請求項２】
前記第２のモードにおいて、予め設定された時間だけ前記表示手段への情報の表示が許可されることを特徴とする請求項１に記載の腕時計型情報端末。
【請求項３】
前記使用状態検出手段は、前記使用者の顔が前記表示手段と正対していることを検出する顔検出手段を備え、
前記モード設定手段は、前記顔検出手段により前記使用者の顔が前記表示手段と正対していることが検出された場合には、前記第２のモードおよび前記第３のモードのいずれかを設定することを特徴とする請求項１または２に記載の腕時計型情報端末。
【請求項４】
前記使用状態検出手段は、前記表示手段の角度を検出するとともに前記角度が予め定めた条件に合致するか否かを判定する角度検出手段を備え、
前記モード設定手段は、前記角度検出手段により前記角度が前記条件に合致すると判定された場合には、前記第２のモードおよび前記第３のモードのいずれかを設定することを特徴とする請求項１〜３のいずれか１項に記載の腕時計型情報端末。
【請求項５】
入力操作を受け付ける入力手段と所定の情報を表示する表示手段とを備えた使用者の腕に装着可能な腕時計型情報端末におけるモード設定方法であって、
前記使用者による前記腕時計型情報端末の使用状態を検出する使用状態検出ステップと、
前記使用者が歩行していることを検出する歩行検出ステップと、
前記使用状態検出ステップで検出された前記使用者の使用状態に応じて、前記表示手段への情報の表示を制限するとともに前記入力手段への入力操作を禁止する第１のモード、前記表示手段への情報の表示を許可するとともに前記入力手段への入力操作を禁止する第２のモード、および前記表示手段への情報の表示および前記入力手段への入力操作を許可する第３のモードのいずれかを設定するモード設定ステップと、
を備え、
前記モード設定ステップは、前記使用状態検出ステップにおいて、前記腕時計型情報端末が使用状態であることを検出し、さらに前記歩行検出ステップにおいて前記使用者が歩行していることを検出した場合には、前記第２のモードを設定する、モード設定方法。
【発明の詳細な説明】
【技術分野】
【０００１】
本発明は、使用者の腕に装着される腕時計型情報端末およびモード設定方法に関する。
【背景技術】
【０００２】
近年、携帯電話等の情報端末は小型化が進み、その一環として腕時計型情報端末が開発されている。また、各種センサも小型化しており、これに伴い情報端末へのセンサの搭載が容易となっている。そして、小型センサを搭載できるようになったため、例えば加速度センサ等を用いて情報端末の使用者が歩行しているか否かを検出する技術や所持者の歩数を検出する技術が開発されている。
【０００３】
また、腕時計型情報端末について、特許文献１には、通話可能なトークモードと、通話及びインターネットアクセスが可能なブラウザモードとを有し、トークモードとブラウザモードとで異なるバッテリを使用する腕時計型情報端末が記載されている。特許文献２には、腕時計の本体上面を覆うカバーを設け、そのカバーの裏面に本体上面と同様の表示画面を搭載して、本体上面とカバーの裏面とを合わせて表示画面として利用することにより、表示画面全体を拡大させた腕時計型情報端末が記載されている。
【先行技術文献】
【特許文献】
【０００４】
【特許文献１】特開２００１−１０３５３６号公報
【特許文献２】特開２０００−２１４２７７号公報
【発明の概要】
【発明が解決しようとする課題】
【０００５】
ところで、上記のような腕時計型情報端末では、使用されていないときでも使用時と同様に動作するため、必要以上の電力を消費するという問題があった。また、腕時計型情報端末の小型化に伴って、ボタンが押しにくくなる等、操作性が低下しており誤操作が多くなっているという問題があった。さらに、腕時計型情報端末の使用者が歩行中に長時間端末を操作し続けると、使用者は歩行中に周りが見えづらくなるといった問題があった。
【０００６】
そこで、本発明は、電力消費を抑え、誤操作を防止するとともに、情報端末を操作し続けることで周りが見えづらくなってしまうこと等を防止することが可能な腕時計型情報端末およびモード設定方法を提供することを目的とする。
【課題を解決するための手段】
【０００７】
上記の課題を解決するために、本発明に係る腕時計型情報端末は、使用者の腕に装着される腕時計型情報端末であって、入力操作を受け付ける入力手段と、所定の情報を表示する表示手段と、使用者による腕時計型情報端末の使用状態を検出する使用状態検出手段と、前記使用者が歩行していることを検出する歩行検出手段と、使用状態検出手段により検出された使用者の使用状態に応じて、表示手段への情報の表示を制限するとともに入力手段への入力操作を禁止する第１のモード、表示手段への情報の表示を許可するとともに入力手段への入力操作を禁止する第２のモード、および表示手段への情報の表示および入力手段への入力操作を許可する第３のモードのいずれかを設定するモード設定手段と、を備え、 前記モード設定手段は、前記使用状態検出手段が使用状態であることを検出し、さらに前記歩行検出手段が前記使用者が歩行していることを検出した場合には、前記第２のモードを設定することを特徴としている。
【０００８】
また、本発明に係るモード設定方法は、入力操作を受け付ける入力手段と所定の情報を表示する表示手段とを備えた使用者の腕に装着可能な腕時計型情報端末におけるモード設定方法であって、使用者による腕時計型情報端末の使用状態を検出する使用状態検出ステップと、前記使用者が歩行していることを検出する歩行検出ステップと、使用状態検出ステップで検出された使用者の使用状態に応じて、表示手段への情報の表示を制限するとともに入力手段への入力操作を禁止する第１のモード、表示手段への情報の表示を許可するとともに入力手段への入力操作を禁止する第２のモード、および表示手段への情報の表示および入力手段への入力操作を許可する第３のモードのいずれかを設定するモード設定ステップと、を備え、前記モード設定ステップは、前記使用状態検出ステップにおいて、前記腕時計型情報端末が使用状態であることを検出し、さらに前記歩行検出ステップにおいて前記使用者が歩行していることを検出した場合には、前記第２のモードを設定することを特徴としている。
【０００９】
この腕時計型情報端末又は腕時計型情報端末におけるモード設定方法によれば、使用者による腕時計型情報端末の使用状態に応じて、表示および入力をともに制限する第１のモード、表示を許可するとともに入力を禁止する第２のモード並びに表示および入力を許可する第３のモードのいずれかが設定される。よって、第１のモードに設定されることにより、腕時計型情報端末を使用していないようなとき等に電力消費を抑えることができる。また、第１のモードおよび第２のモードでは入力操作が禁止されるため誤操作を防止することができる。さらに、第１のモードおよび第２のモードでは使用者が入力操作をできなくなるため、端末を操作し続けることによって周りが見えづらくなるといった問題の発生を抑えることができる。この場合、使用者が歩行しているときには入力操作が禁止される。さらに、腕時計型情報端末が使用状態であることを検出し、さらに使用者が歩行していることを検出した場合には、第２のモードを設定する。よって、使用者の情報端末を操作し続けることによって周りが見えづらくなるといった問題の発生をより一層確実に抑えることができる。
【００１０】
上記腕時計型情報端末において、第２のモードにおいて、予め設定された時間だけ表示手段への情報の表示が許可されるようにしてもよい。この場合、上記時間だけ情報が表示され、その後の表示は禁止される。よって、使用者が例えば歩行中に長時間表示手段を閲覧するような事態を回避することが可能となり、使用者が情報端末を操作し続けることによって周りが見えづらくなるといった問題の発生をより確実に抑えることができる。
【００１１】
上記腕時計型情報端末において、使用状態検出手段は、使用者の顔が表示手段と正対していることを検出する顔検出手段を備え、モード設定手段は、顔検出手段により使用者の顔が表示手段と正対していることが検出された場合には、第２のモードおよび第３のモードのいずれかを設定するようにしてもよい。この場合、使用者が表示手段を見ているときには、表示手段への情報の表示が許可される第２のモードおよび第３のモードのいずれかが設定される。このため、使用者は、腕時計型情報端末を使用しているときには確実に情報を閲覧することができる。
【００１２】
上記腕時計型情報端末において、使用状態検出手段は、表示手段の角度を検出するとともに角度が予め定めた条件に合致するか否かを判定する角度検出手段を備え、モード設定手段は、角度検出手段により角度が条件に合致すると判定された場合には、第２のモードおよび第３のモードのいずれかを設定するようにしてもよい。この場合、表示手段の角度が条件に合致して使用者が表示手段を見ていると考えられる場合には、表示が許可される第２のモードおよび第３のモードのいずれかが設定される。よって、使用者は、腕時計型情報端末を使用しているときには確実に情報を閲覧することができる。
【発明の効果】
【００１４】
本発明によれば、電力消費を抑え、誤操作を防止させるとともに、情報端末を操作し続けることで周りが見えづらくなってしまうこと等を防止することができる。
【図面の簡単な説明】
【００１５】
【図１】本実施形態に係る腕時計型情報端末を示す斜視図である。
【図２】本実施形態に係る腕時計型情報端末の機能構成を示すブロック図である。
【図３】本実施形態に係る腕時計型情報端末のハードウェア構成を示す図である。
【図４】本実施形態に係る腕時計型情報端末においてモード変更を行う際の動作を示すフローチャートである。
【発明を実施するための形態】
【００１６】
以下、図面を参照して、本発明に係る好適な実施形態について詳細に説明する。なお、図面の説明において、可能な場合には、同一要素には同一符号を付し、重複する説明を省略する。
【００１７】
本実施形態に係る腕時計型情報端末１０は、例えば使用者Ｕの操作に応じて無線通信網ＮＷを介して、他の携帯電話Ｍ等と無線通信や通話を行ったり、インターネットを介して各種のサイト等に接続したりすることが可能な機器である。腕時計型情報端末１０は、図１に示されるように、腕時計のような外観を呈するもので、腕時計の如く使用者Ｕ（図２参照）の右腕又は左腕の手首に巻き付けることで腕に装着可能となっている。腕時計型情報端末１０は、発信等、各種処理を実行するための入力操作を受け付ける操作ボタン等からなる入力部（入力手段）１２と、時間や待ち受け画面等を表示させる表示部（表示手段）１４とを備える。なお、入力部１２および表示部１４については、入力部１２および表示部１４を一体としたタッチパネルディスプレイから構成されていてもよい。
【００１８】
入力部１２は、使用者Ｕが直接接触して操作を行うことが可能となっている。入力部１２は、操作ボタンを介して発信処理を実行するための操作入力を受け付けると、発信処理の指示番号を制御部２０（図２参照）に出力する。また、ブラウザを立ち上げた後に入力部１２により所定のＵＲＬを入力することで各種のインターネットサイトにアクセスできるようになっている。
【００１９】
表示部１４は、表示画面を有し、使用者Ｕが腕時計型情報端末１０を腕に装着したときに外側を向くように配置されている。これにより、表示部１４は、使用者Ｕが視認可能となっている。また、表示部１４の表示画面には、使用者Ｕの入力部１２を用いた入力操作が行われると、入力操作された文字情報が表示されるようになっている。表示部１４は、例えばＬＣＤ等の表示装置から構成され、入力情報や操作情報、あるいはダウンロードしたコンテンツの内容等の所定の情報を表示する。
【００２０】
また、腕時計型情報端末１０は、図２に示されるように、機能的には、上記の入力部１２および表示部１４のほか、使用状態検出部（使用状態検出手段）１６、利用モード設定部１８（モード設定手段）、制御部２０および通信部２２を備えている。
【００２１】
制御部２０は、入力部１２から指示信号を受信し、この指示信号を受信した場合に発信処理を行う。このとき、制御部２０は通信部２２に所定の発信処理を実行させ、通信部２２が所定の発信処理を行うことで、他の携帯電話Ｍ等との間での通話や通信を実行させる。
【００２２】
使用状態検出部１６は、使用者Ｕによる腕時計型情報端末１０の使用状態を検出する。使用状態検出部１６は、腕時計型情報端末１０の運動情報を検出する運動情報検出部（角度検出手段）１６ａと、使用者Ｕの顔を検出する顔検出部（顔検出手段）１６ｂと、腕時計型情報端末１０の利用状態を判定する端末利用状態判定部１６ｃと、使用者Ｕの歩行状態を検出する歩行状態検出部（歩行検出手段）１６ｄとを備えて構成されている。
【００２３】
運動情報検出部１６ａは、後述するセンサ１０ｈ（図３参照）を用いて腕時計型情報端末１０の運動情報を検出する。運動情報検出部１６ａは、鉛直上方向（表示部１４の表示画面の法線方向）に対する角度を検出する。また、運動情報検出部１６ａは、検出した表示部１４の角度が予め定めた条件に合致するか否かを判定する。具体的には、運動情報検出部１６ａは、検出した表示部１４の角度をθとすると、θがθmin＜θ＜θmaxを満たすか否かを判定する。
【００２４】
なお、上記のθmin，θmaxの値については、例えばθmin＝−６０°、θmax＝６０°とすることができる。しかし、これらの値に限られず、さらに使用者Ｕがθmin，θmaxの値を適宜変更できるようにしてもよい。また、運動情報検出部１６ａについては、鉛直上方向に対する表示部１４の角度を検出する代わりに、表示部１４の水平面に対する角度を検出するようにしてもよく、要は表示部１４の向きを検出できればよい。このように動作する運動情報検出部１６ａは、表示部１４の角度が予め定めた条件に合致するか否かの判定結果を含む腕時計型情報端末１０の運動情報を端末利用状態判定部１６ｃおよび歩行状態検出部１６ｄに出力する。
【００２５】
顔検出部１６ｂは、表示部１４に正対する位置に使用者Ｕの顔が存在するか否かを判定する。顔検出部１６ｂは、例えば表示部１４の表示画面の周辺に配置されたセンサ１０ｈやカメラ１０ｉ（図３参照）を用いて、使用者Ｕの顔が表示部１４に正対する位置にあるか否かを判定し、表示部１４に正対する位置にある場合には顔情報を生成する。顔検出部１６ｂは、生成した顔情報を端末利用状態判定部１６ｃに出力する。なお、顔検出部１６ｂによる顔検出については種々の手法を採用することができ、例えば特開２００９−１２８９９０号公報に記載の画像処理装置の顔認識処理によって顔情報を生成することができる。
【００２６】
端末利用状態判定部１６ｃは、運動情報検出部１６ａおよび顔検出部１６ｂから入力された情報に基づいて、使用者Ｕが腕時計型情報端末１０を利用しているか否かを判定する。具体的には、運動情報検出部１６ａによって表示部１４の角度が予め定めた条件を満たすと判定されるか、または顔検出部１６ｂによって使用者Ｕの顔が表示部１４と正対していることが検出された場合に、端末利用状態判定部１６ｃは、腕時計型情報端末１０が「利用状態」であると判定する。
【００２７】
一方、運動情報検出部１６ａによって表示部１４の角度が予め定めた条件を満たさないと判定され、且つ顔検出部１６ｂによって使用者Ｕの顔が表示部１４と正対していることが検出されなかった場合に、端末利用状態判定部１６ｃは、腕時計型情報端末１０が「非利用状態」であると判定する。また、端末利用状態判定部１６ｃは、「利用状態」であると判定した場合、その旨を利用信号として歩行状態検出部１６ｄに出力する。また、端末利用状態判定部１６ｃは、「非利用状態」であると判定した場合、その旨を非利用信号として利用モード設定部１８に出力する。
【００２８】
歩行状態検出部１６ｄは、端末利用状態判定部１６ｃにより「利用状態」であると判定された場合に使用者Ｕが歩行しているか否かを判定する。歩行状態検出部１６ｄは、例えば運動情報検出部１６ａから入力された運動情報に基づいて使用者Ｕの歩行状態を検出して歩行しているか否かを判定する。歩行状態検出部１６ｄによる歩行状態の検出については、種々の手法を採用することができ、例えば特開２０１２−００８６３７号公報に記載の歩数計の動作種別判定処理を用いた場合、使用者Ｕが止まっているか、歩いているか、あるいは走っているかを判定することができる。
【００２９】
歩行状態検出部１６ｄは、使用者Ｕが歩行状態であると判定した場合には腕時計型情報端末１０が「情報確認状態」であると判定し、使用者Ｕが歩行状態でないと判定した場合には腕時計型情報端末１０が「完全操作状態」であると判定する。そして、歩行状態検出部１６ｄは、「情報確認状態」であると判定した場合、その旨を情報確認信号として利用モード設定部１８に出力する。一方、歩行状態検出部１６ｄは、「完全操作状態」であると判定した場合、その旨を完全操作信号として利用モード設定部１８に出力する。
【００３０】
利用モード設定部１８は、端末利用状態判定部１６ｃまたは歩行状態検出部１６ｄから非利用信号、情報確認信号または完全操作信号を受信して、腕時計型情報端末１０の利用モードを設定する。利用モード設定部１８が設定する利用モードとしては、非利用モード（第１のモード）、情報確認モード（第２のモード）および完全操作モード（第３のモード）がある。非利用モードでは表示部１４への情報の表示を制限するとともに入力部１２への入力操作が禁止され、情報確認モードでは表示部１４への情報の表示は許可されるが入力部１２への入力操作は禁止され、完全操作モードでは表示部１４への情報の表示および入力部１２への入力操作が共に許可される。このように、利用モード設定部１８は、使用状態検出部１６により検出された使用者Ｕの使用状態（端末利用状態判定部１６ｃおよび歩行状態検出部１６ｄから入力される非利用信号、情報確認信号または完全操作信号）に応じて非利用モード、情報確認モードまたは完全操作モードのいずれかを設定する。
【００３１】
具体的には、非利用モードは、腕時計型情報端末１０が使用されていない状態で設定され、例えば電力消費を抑える省電力モードである。非利用モードでは、入力部１２の入力操作は禁止される。また、非利用モードにおいて、表示部１４への情報の表示は制限され、例えば時間等、最小限の情報のみが表示される。また、非利用モードでは、表示部１４への情報の表示を全く行わないようにしてもよいし、あるいは表示させる情報を予め使用者Ｕが設定できるようにしてもよい。
【００３２】
情報確認モードは、情報の確認のみが可能なモードであり、入力部１２への入力操作は禁止される。また、情報確認モードは、例えば使用者Ｕが歩行している場合等、予め表示された情報の確認のみが可能な状態で設定され、所定時間（例えば５秒）だけ上記の情報が表示されるモードである。所定時間の経過後は表示部１４への情報の表示は停止される。なお、情報確認モードにおいて、上記のように所定時間だけ表示部１４への情報の表示を行うようにしてもよいが、これに代えて、例えば表示部１４に表示されるアプリケーション毎に、予め設定された時間だけ表示部１４に表示させるようにしてもよい。さらに、情報確認モードにおいて、表示部１４に表示させる時間を使用者Ｕの状態に合わせて適宜変更できるようにしてもよい。
【００３３】
また、完全操作モードは、例えば使用者Ｕが歩行等しておらず腕時計型情報端末１０を不自由なく使用できる状態で設定され、入力部１２への入力操作や表示部１４への画面表示を含めて腕時計型情報端末１０のあらゆる操作を可能とするモードである。
【００３４】
このような腕時計型情報端末１０は、図３に示されるように、物理的には、ＣＰＵ１０ａ、ＲＡＭ１０ｂ、ＲＯＭ１０ｃ、入力装置１０ｄ、出力装置１０ｅ、通信装置１０ｆ、記録装置１０ｇ、センサ１０ｈおよびカメラ１０ｉを備えており、これらはバス１０ｊに接続されている。ＣＰＵ１０ａは、ＲＯＭ１０ｃや記録装置１０ｇ等の内蔵メモリに格納された所定のコンピュータソフトウェア（図２又は図４に示す腕時計型情報端末１０の処理を実行するためのコンピュータプログラム等を含む）をＲＡＭ１０ｂにロードして実行することにより、腕時計型情報端末１０を統括的に制御する。
【００３５】
入力装置１０ｄは、上述した入力部１２を構成する操作ボタン等からなるデータ入力用デバイスであり、入力されたデータをＣＰＵ１０ａに出力する。出力装置１０ｅは、表示部１４を構成するＬＣＤ等の表示装置やスピーカ等の音声出力装置であり、ＣＰＵ１０ａから入力された文字情報等をＬＣＤ等に表示する。通信装置１０ｆは、無線通信網ＮＷ等を介して他の携帯電話Ｍ等との間で通話や通信を行うためのインターフェイスを有する。記録装置１０ｇは、ＣＰＵ１０ａの実行可能なコンピュータソフトウェアを格納する。
【００３６】
また、腕時計型情報端末１０の各機能は、ＣＰＵ１０ａがＲＯＭ１０ｃや記録装置１０ｇ等に格納されたコンピュータソフトウェアを実行することによって動作し、図２に示す腕時計型情報端末１０の各構成部を動作させることにより実現される機能である。また、センサ１０ｈは、例えば加速度センサやジャイロセンサであり、腕時計型情報端末１０に付与された振動から腕時計型情報端末１０の加速度や向き等を検出してＣＰＵ１０ａに出力する。また、カメラ１０ｉは、例えば画像カメラや赤外線センサであり、腕時計型情報端末１０の周囲を撮影してその撮影画像をＣＰＵ１０ａに出力する。
【００３７】
続いて、上述した構成を備えた腕時計型情報端末１０におけるモード設定方法について、図４を参照して説明する。
【００３８】
まず、ステップＳ１において、顔検出部１６ｂが表示部１４に正対する位置に使用者Ｕの顔が存在するか否かを判定するとともに、運動情報検出部１６ａが表示部１４の角度を検出する。そして、端末利用状態判定部１６ｃは、運動情報検出部１６ａによって表示部１４の角度が予め定めた条件を満たすと判定されたか否か、および顔検出部１６ｂによって使用者Ｕの顔が存在すると判定されたか否か、を判定する。ステップＳ１で使用者Ｕの顔が存在したか、または表示部１４の角度が上記条件に合致したと判定された場合、ステップＳ２に進み端末利用状態判定部１６ｃが「利用状態」であると判定する。一方、ステップＳ１で使用者Ｕの顔が存在せず且つ表示部１４の角度が上記条件に合致しないと判定された場合、ステップＳ３に進み端末利用状態判定部１６ｃが「非利用状態」であると判定し、ステップＳ６に進んで利用モード設定部１８により非利用モードが設定される。
【００３９】
ステップＳ２では、歩行状態検出部１６ｄにより使用者Ｕが歩行状態であるか否かが判定される。ステップＳ２で使用者Ｕが歩行状態であると判定された場合、ステップＳ４に進み歩行状態検出部１６ｄは「情報確認状態」であると判定し、ステップＳ６に進んで利用モード設定部１８により情報確認モードが設定される。
【００４０】
一方、ステップＳ２で使用者Ｕが歩行状態でないと判定された場合、ステップＳ５に進み歩行状態検出部１６ｄは「完全操作状態」であると判定し、ステップＳ６に進んで利用モード設定部１８により完全操作モードが設定される。
【００４１】
このように、本実施形態によれば、使用者Ｕによる腕時計型情報端末１０の使用状態に応じて、表示および入力をともに制限する非利用モード、表示を許可するとともに入力を禁止する情報確認モード、並びに表示および入力を許可する完全操作モード、のいずれかが設定される。よって、例えば非利用モードに設定されることにより、腕時計型情報端末１０を使用していないようなとき等に電力消費を抑えることができる。また、非利用モードおよび情報確認モードでは入力操作が禁止されるため、誤操作を防止することができる。さらに、非利用モードおよび情報確認モードでは使用者Ｕが入力操作をできなくなるため、端末を操作し続けることによって周りが見えづらくなるといった問題の発生を抑えることができる。
【００４２】
また、上記実施形態によれば、情報確認モードにおいて所定時間だけ情報の表示が許可されるようになっており、その後の表示は禁止されている。よって、使用者Ｕが歩行中に長時間表示部１４を閲覧するような事態を回避でき、使用者Ｕが腕時計型情報端末１０を操作し続けることによって周りが見えづらくなる問題の発生をより確実に抑えることができる。
【００４３】
また、上記実施形態によれば、使用状態検出部１６が顔検出部１６ｂを備えることにより、使用者Ｕが表示部１４を見ているときには、表示部１４への情報の表示が許可される情報確認モードおよび完全操作モードのいずれかが設定される。従って、使用者Ｕは、腕時計型情報端末１０を使用しているときには確実に情報を閲覧することができる。
【００４４】
また、上記実施形態によれば、表示部１４の角度が条件に合致して使用者Ｕが表示部１４を見ていると考えられる場合には、表示が許可される情報確認モードおよび完全操作モードのいずれかが設定される。従って、使用者Ｕは、腕時計型情報端末１０を使用しているときには確実に情報を閲覧することができる。
【００４５】
また、上記実施形態によれば、使用状態検出部１６が歩行状態検出部１６ｄを備えることにより、使用者Ｕが歩行しているときには情報確認モードに設定されて入力操作が禁止される。従って、使用者Ｕの腕時計型情報端末１０を操作し続けることによって周りが見えづらくなるといった問題の発生をより一層確実に抑えることができる。
【００４６】
以上、本発明をその実施形態に基づき具体的に説明したが、本発明は、上記実施形態に限定されるものではない。例えば、上記実施形態では、情報確認モードで所定時間だけ表示部１４への情報の表示を許可するようにしていたが、この例に代えて、情報確認モードで所定時間が経過した後に非利用モードに移行するようにしてもよい。
【００４７】
また、上記実施形態では、歩行状態検出部１６ｄによって、使用者Ｕが歩行状態であると判定されたときに情報確認モードになり、使用者Ｕが歩行状態でないと判定されたときに完全操作モードになるようにしていたが、歩行状態検出部１６ｄを用いる代わりに、例えば振動検出センサからなる振動検出部を用いるようにしてもよい。この振動検出部を用いた場合、例えば、所定値以上の振動を検出した場合に情報確認モードとし、前記所定値以上の振動を検出していない場合に完全操作モードとすることで、本実施形態に係る腕時計型情報端末１０と同様の効果が得られる。
【００４８】
また、上記実施形態では、顔検出部１６ｂおよび運動情報検出部１６ａを用いて、使用者Ｕの顔が検出されたか、または表示部１４の向きが条件に合致した場合に「利用状態」と判定するようにし、使用者Ｕの顔が検出されず且つ表示部１４の向きが条件に合致しない場合に「非利用状態」と判定するようにした。しかし、上記の顔検出部１６ｂおよび運動情報検出部１６ａを用いなくてもよく、例えば使用者Ｕが腕をぶら下げている状態、または腕時計型情報端末１０がどこかに固定あるいは放置されている状態が検出されたときに「非利用状態」とし、それ以外の場合に「利用状態」とするようにしてもよい。
【符号の説明】
【００４９】
１０…腕時計型情報端末、１２…入力部、１４…表示部、１６…使用状態検出部、１６ａ…運動情報検出部、１６ｂ…顔検出部、１６ｃ…端末利用状態判定部、１６ｄ…歩行状態判定部、１８…利用モード設定部、Ｕ…使用者。
【図１】
0005814167.tif 000002
【図２】
0005814167.tif 000003
【図３】
0005814167.tif 000004
【図４】
0005814167.tif 000005